(57)【要約】【課題】歯ブラシを係止するとき、歯ブラシヘッドが被い隠される衛生的で美観をよくする開閉自在の歯ブラシホルダを得る。【解決手段】本考案歯ブラシホルダ１は、壁面等に固定する固定手段例えば、吸盤２を有する支持体３と、支持体３に取り付けたホルダ本体であって、背部中央のヒンジ手段４によって互いに開閉自在の１対のシェル５Ａ，５Ｂよりなるホルダ本体５とを具え、各シェル５Ａ，５Ｂに、１対のシェルが閉じて生ずる内部空間に歯ブラシ７の拡大しているヘッド７Ａの下側端縁に掛合し、ヘッド７Ａを保持するようラック８と、歯ブラシの柄部７Ｂを通過させるよう各シェルの底部に向かい合わせにして設けた切欠き９とを設ける。支持体３は横断面がＣ字状であり軸線方向に延在するクリップにより構成し、シェルの背部にクリップの端縁が嵌合するよう軸線方向に延在する溝（内側から見て凸条）６を設ける。【選択図】図１
0003108544.tif 000002
【実用新案登録請求の範囲】
【請求項１】
壁面等に固定する固定手段を有する支持体と、この支持体に取り付けたホルダ本体であって、背部中央のヒンジ手段によって互いに開閉自在の１対のシェルよりなるホルダ本体とを具え、ホルダ本体の各シェルに、１対のシェルが閉じて生ずる内部空間に歯ブラシの拡大しているヘッドの下側端縁に掛合し、歯ブラシヘッドを保持するラックと、歯ブラシの柄部を通過させるよう各シェルの底部に向かい合わせにして設けた切欠きとを設けたことを特徴とする歯ブラシホルダ。
【請求項２】
前記固定手段を吸盤とした請求項１記載の歯ブラシホルダ。
【請求項３】
前記ヒンジ手段を、一方のシェルに設けた複数個の短軸と、他方のシェルに設け、前記各短軸をそれぞれ回動自在に収容する収容部とにより構成した請求項１または２記載の歯ブラシホルダ。
【請求項４】
前記ヒンジ手段を、一体構成としたホルダ本体の背部中央を肉薄に形成することより互いに回動自在の１対のシェルに分割する一体ヒンジとした請求項１または２記載の歯ブラシホルダ
【請求項５】
前記支持体を、横断面がＣ字状であり軸線方向に延在するクリップにより構成し、前記シェルの背部に、前記クリップの端縁が嵌合するよう軸線方向に延在する溝を設けた請求項１乃至４のうちのいずれか１項に記載の歯ブラシホルダ。
【請求項６】
前記ホルダ本体を、１対のシェルが閉じた状態で任意の動物またはキャラクタを模した形状に形成した請求項１乃至５のうちのいずれか１項に記載の歯ブラシホルダ。
【請求項７】
前記歯ブラシホルダの少なくともホルダ本体を抗菌プラスチック成形体とした請求項１乃至６のうちのいずれか１項に記載の歯ブラシホルダ。
【考案の詳細な説明】
【技術分野】
【０００１】
本考案は歯ブラシホルダに関するものである。
【背景技術】
【０００２】
このような歯ブラシホルダとしては、ネームプレートアームと、ラックアームとを互いに回動自在に連結し、ラックアームに歯ブラシを引っ掛けるとき、歯ブラシの重さで枢軸の周りにラックアームが水平に倒れ、このときネームプレートがホルダ本体の陰から飛び出し、歯ブラシをラックアームから取り出すと、ネームプレートの自重によりネームプレートがホルダ本体の陰に引っ込むようにした歯ブラシホルダがある。（例えば、特許文献１参照。）
【特許文献１】実公平４‐４３１１５号公報
【０００３】
また、装飾体を配したリング状のヘッド係止部に歯ブラシを引っ掛ける歯ブラシホルダがある（例えば、特許文献２参照）。
【特許文献２】実公昭５９‐１５８１号公報
【０００４】
さらに、歯ブラシの柄部の末端を磁気吸着で保持する歯ブラシホルダがある（例えば、特許文献３参照）。
【特許文献３】実開昭５６‐１２３１９１号公報
【考案の開示】
【考案が解決しようとする課題】
【０００５】
しかし、これら従来の歯ブラシホルダは、すべて歯ブラシヘッドが露出している。したがって、衛生および美観を損ねる恐れがある。とくに、使い古しの歯ブラシを係止する場合は見苦しい。
【０００６】
本考案の目的は、歯ブラシを係止するとき、歯ブラシヘッドが被い隠される開閉自在の衛生的な歯ブラシホルダを得るにある。
【課題を解決するための手段】
【０００７】
この目的を達成するため、本考案歯ブラシホルダは、壁面等に固定する固定手段を有する支持体と、この支持体に取り付けたホルダ本体であって、背部中央のヒンジ手段によって互いに開閉自在の１対のシェルよりなるホルダ本体とを具え、ホルダ本体の各シェルに、１対のシェルが閉じて生ずる内部空間に歯ブラシの拡大しているヘッドの下側端縁に掛合し、歯ブラシヘッドを保持するラックと、歯ブラシの柄を通過させるよう各シェルの底部に向かい合わせにして設けた切欠きとを設けたことを特徴とする。
【考案の効果】
【０００８】
本考案歯ブラシホルダによれば、開いているシェルの背部中央部のヒンジ手段に歯ブラシのヘッドを押し付けることにより、左右１対のシェルが閉じるように相対回動してシェルが閉まる。このとき、閉じたシェルの内部空間で、ラックが歯ブラシの拡大しているヘッドの下側端縁に掛合し、歯ブラシヘッドを保持する。逆に、閉じたシェル内のラックにヘッドが保持され、シェルの底部の切欠きから下方に露出する歯ブラシの柄部を持って手前に引き出すと、この柄が切欠きの端縁に掛合する力がシェルを開くようヒンジ手段に作用してシェルが開き、歯ブラシをホルダから取り出すことができる。
【考案を実施するための最良の形態】
【０００９】
本考案の好適な実施例においては、固定手段を吸盤とする。また、ヒンジ手段を、一方のシェルに設けた複数個の短軸と、他方のシェルに設け、前記各短軸をそれぞれ回動自在に収容する収容部とにより構成すると好適である。代案として、ヒンジ手段を、一体構成としたホルダ本体の背部中央を肉薄に形成することより互いに回動自在の１対のシェルに分割する一体ヒンジとすることもできる。
【００１０】
また、本考案の好適な実施例においては、支持体を、横断面がＣ字状であり軸線方向に延在するクリップにより構成し、前記シェルの背部に、前記クリップの端縁が嵌合するよう軸線方向に延在する溝を設ける。
【００１１】
さらに、本考案の好適な実施例においては、ホルダ本体を、１対のシェルが閉じた状態で任意の動物またはキャラクタを模した形状に形成する。さらにまた、歯ブラシホルダの少なくともホルダ本体を抗菌プラスチック成形体とする。
【００１２】
次に、図面につき、本考案の好適な実施例を詳細に説明する。
【実施例１】
【００１３】
図１は、幼児向けにペンギンを模した本考案による歯ブラシホルダ１のシェルが開いた状態を示す。本考案歯ブラシホルダ１は、壁面等に固定する固定手段、例えば、吸盤２を有する支持体３と、この支持体３に取り付け、背部中央のヒンジ手段４によって互いに開閉自在の１対のシェル５Ａ，５Ｂよりなるホルダ本体５とにより構成する。これら支持体３およびホルダ本体５はプラスチック成形体とし、少なくともホルダ本体５は抗菌プラスチック成形体とすると好適である。
【００１４】
支持体３を、横断面がＣ字状であり軸線方向に延在するクリップにより構成し、シェルの背部に、支持体即ちクリップ３の端縁が嵌合するよう軸線方向に延在する溝６（図１では内側に突出する凸条として見えるが、外側から見ると溝である）を設ける。
【００１５】
背部中央のヒンジ手段４は、図示の実施例では、一方のシェル５Ａに設けた複数個の短軸４Ａと、他方のシェル５Ｂに設け、各短軸４Ａをそれぞれ回動自在に収容する収容部４Ｂとにより構成する。代案として、ヒンジ手段４を、一体構成としたホルダ本体５の背部中央を肉薄に形成することより互いに回動自在の１対のシェル５Ａ，５Ｂに分割する一体ヒンジとすることができる。さらに、他の形式のヒンジを使用することもできる。
【００１６】
ホルダ本体５の各シェル５Ａ，５Ｂには、１対のシェル５Ａ，５Ｂが閉じて生ずる内部空間に歯ブラシ７の拡大しているヘッド７Ａの下側端縁に掛合し、歯ブラシヘッド７Ａを保持するラック８と、歯ブラシの柄部７Ｂを通過させるよう各シェルの底部に向かい合わせにして設けた切欠き９とを設ける。
【００１７】
図２には、本考案歯ブラシホルダ１に歯ブラシ７を引っ掛けた状態を示す。図２に示すように、閉じたシェル５内に保持されている歯ブラシ７を歯ブラシホルダ１から取り出すには、シェル５から外部に露出している歯ブラシ７の柄部７Ｂを手に持って、 図３で示すように前方（図３では左方）に引き寄せると、図４に示すように、この柄部７Ｂが切欠き９の端縁に掛合する力がシェル５を開くようクリップ３およびヒンジ手段４に作用してシェル５Ａ，５Ｂが開き、歯ブラシ７をホルダ１から取り出すことができる。このとき、ヒンジ手段４および背部中央部は、全体的に前方に若干移動した位置をとる。
【００１８】
逆に、歯ブラシ７を歯ブラシホルダ１に引っ掛けて仕舞うとき、前方に僅かに突き出ているヒンジ手段４または背部中央部を、歯ブラシヘッド７Ａにより、図３に示すように後方（図３では右方）に押し込むと、この押し込み力がシェル５Ａ，５Ｂを閉じるようクリップ３およびヒンジ手段４に作用する。このように、本考案歯ブラシホルダ１のシェル５は、個別のバネを使用することなく、支持体３であるクリップおよびヒンジ手段４により、開位置および閉位置のそれぞれの状態に保持される。
【産業上の利用可能性】
【００１９】
本考案歯ブラシホルダはトイレタリー用品の一つとして利用でき、歯ブラシヘッドを露出させないため、洗面所の美観をよくし、また衛生的にする。
【図面の簡単な説明】
【００２０】
【図１】本考案歯ブラシホルダの好適な実施例のホルダ本体のシェルが開いた状態を示す斜視図である。
【図２】本考案歯ブラシホルダに歯ブラシを保持した状態の正面図である。
【図３】本考案歯ブラシホルダの側面図である。
【図４】本考案歯ブラシホルダから歯ブラシを取り出そうとする、もしくは仕舞おうとする状態の正面図である。
【符号の説明】
【００２１】
１  歯ブラシホルダ
２  吸盤（固定手段）
３  支持体
４  ヒンジ手段
４Ａ  短軸
４Ｂ  収容部
５  ホルダ本体                歯ブラシヘッド
５Ａ  シェル
５Ｂ  シェル
６  溝
７  歯ブラシ
７Ａ  歯ブラシヘッド
７Ｂ  柄部
８  ラック
９  切欠き
【図１】
0003108544.tif 000003
【図２】
0003108544.tif 000004
【図３】
0003108544.tif 000005
【図４】
0003108544.tif 000006